(57)【要約】【課題】  ＡＴＭからの不正な預金の引き出しを防止することができるＩＣカード、ＡＴＭおよび本人認証システムを提供する。【解決手段】  ＩＣカードは、次回のＡＴＭを利用した金融取り引き処理で使用するための認証用情報としてのキーワードを記憶させるためのキーワード情報記憶エリアが設けられた記憶手段を有し、ＡＴＭは、ＩＣカードを用いた金融取り引き処理が行われた後に、次回の金融取り引き処理の際に使用する認証用情報としてのキーワードを生成する手段と、キーワードをジャーナルに表示する手段と、キーワードをＩＣカードの記憶手段に書き込む手段と、利用者がキーワードを入力する入力手段と、ＩＣカードに記憶されたキーワードを読み取る手段と、入力されたキーワード情報と、ＩＣカードから読み取ったキーワード情報とを照合する照合手段と、照合の結果が一致した場合に利用者を本人として認証する手段とを有する。【選択図】        図５
2007080007.tif 000002
【特許請求の範囲】
【請求項１】
ＡＴＭ（現金自動支払機）を利用した金融取り引き処理を行う際に使用され、記憶手段を有するＩＣカードであって、
前記記憶手段に、次回のＡＴＭを利用した金融取り引き処理で使用するための認証用情報としてのキーワードを記憶させるためのキーワード情報記憶エリアが設けられていることを特徴とするＩＣカード。
【請求項２】
ＩＣカードを用いて金融取り引き処理を行うＡＴＭ（現金自動支払機）であって、
前記ＩＣカードを用いた金融取り引き処理を行った後に、次回の金融取り引き処理の際に使用する認証用情報としてのキーワードを生成する手段と、前記キーワードをジャーナルに表示する手段と、前記キーワードを前記ＩＣカードの記憶手段に書き込む手段とを有していることを特徴とするＡＴＭ。
【請求項３】
ＡＴＭ（現金自動支払機）と、前記ＡＴＭにより金融取り引き処理を行う際に使用するＩＣカードとからなる本人認証システムであって、
前記ＩＣカードは、次回のＡＴＭを利用した金融取り引き処理で使用するための認証用情報としてのキーワードを記憶させるためのキーワード情報記憶エリアが設けられた記憶手段を有し、
前記ＡＴＭは、前記ＩＣカードを用いた金融取り引き処理が行われた後に、次回の金融取り引き処理の際に使用する認証用情報としてのキーワードを生成する手段と、前記キーワードをジャーナルに表示する手段と、前記キーワードを前記ＩＣカードの記憶手段に書き込む手段と、利用者がキーワードを入力する入力手段と、前記ＩＣカードに記憶されたキーワードを読み取る手段と、前記入力手段から入力されたキーワード情報と、前記ＩＣカードから読み取ったキーワード情報とを照合する照合手段と、前記照合手段による照合の結果が一致した場合に前記利用者を本人として認証する手段とを有することを特徴とする本人認証システム。
【請求項４】
ＡＴＭ（現金自動支払機）と、前記ＡＴＭにより金融取り引き処理を行う際に使用するＩＣカードとからなる本人認証システムであって、
前記ＩＣカードは、次回のＡＴＭを利用した金融取り引き処理で使用するための認証用情報としてのキーワードを記憶させるためのキーワード情報記憶エリアが設けられた記憶手段と、前記ＡＴＭから前記キーワード情報記憶エリアに書き込まれたキーワード情報と、前記ＡＴＭから受信したキーワード情報とを照合する照合手段と、前記照合手段の結果が一致した場合に前記利用者を本人として認証する手段とを有し、
前記ＡＴＭは、前記ＩＣカードを用いた金融取り引き処理が行われた後に、次回の金融取り引き処理の際に使用する認証用情報としてのキーワードを生成する手段と、前記キーワードをジャーナルに表示する手段と、前記キーワードを前記ＩＣカードの記憶手段に書き込む手段と、利用者がキーワードを入力する入力手段と、前記入力手段から入力されたキーワードを前記ＩＣカードに送信する手段とを有することを特徴とする本人認証システム。
【発明の詳細な説明】
【技術分野】
【０００１】
本発明は、ＡＴＭで金融取り引き処理を行う際に使用するＩＣカードと、利用者自身が操作して金融取り引き処理を行うことができるＡＴＭ（現金自動支払機）と、ＡＴＭで金融取り引き処理を行う際に必要な本人認証の不正処理を防止するための本人認証システムに関する。
【背景技術】
【０００２】
従来、盗んだ他人のキャッシュカードが使用されて、ＡＴＭにより他人の口座から不正に預金引き出しが行われたり、他人のキャッシュカードの偽造カードが作製されて、ＡＴＭにより他人の口座から不正に預金が引き出されたりするなどの犯罪が多発して問題となっている。
通常、他人のキャッシュカードを第三者が使用した場合であっても、ＡＴＭに入力した暗証番号の照合が一致すれば、ネットワークで接続されたＡＴＭを使用しても全国どこからでも現金の引き出し処理を行うことができる。
したがって、他人に暗証番号が知られないように注意したり、誕生日などのような他人が簡単に予想できる暗証番号の使用を避けるなどの対策が必要となっている。
【０００３】
しかしながら、ＡＴＭを操作して暗証番号の入力を行う際に、他人に盗み見られないように注意して入力したつもりでも、ビデオカメラで入力時の操作手順を盗撮するなどの巧妙な手段により暗証番号が第三者に知られてしまうことも考えられる。
このようなことから、利用者が記憶している暗証番号だけを利用して本人照合を行う方法では、セキュリティ上の対策が十分ではないという問題がある。
【０００４】
このようなことから、暗証番号の照合と併用して、または暗証番号の照合に代えて指紋照合などの生体認証処理を行えるようにしたＡＴＭや指紋照合システムが知られている。（例えば、特許文献１参照）
しかしながら、指紋照合機能をＡＴＭに付加するためには、コストがかかるなどの問題もあり、簡単には現在設置されている全てのＡＴＭに指紋照合機能を備えられないという問題がある。
【特許文献１】特開２００１−６７５２３号公報
【発明の開示】
【発明が解決しようとする課題】
【０００５】
そこで、本発明は、暗証番号が第三者に知られ、キャッシュカードなどに用いられるＩＣカードが盗まれたり、また他人のＩＣカードの偽造カードが作製されたりした場合でも、それらのカードを使用してＡＴＭから簡単に預金の引き出しをすることができないようにして、ＡＴＭからの不正な預金の引き出しを防止することができるＩＣカード、ＡＴＭおよび本人認証システムを提供する。
【課題を解決するための手段】
【０００６】
本発明のＩＣカードは、ＡＴＭ（現金自動支払機）を利用した金融取り引き処理を行う際に使用され、記憶手段を有するＩＣカードであって、前記記憶手段に、次回のＡＴＭを利用した金融取り引き処理で使用するための認証用情報としてのキーワードを記憶させるためのキーワード情報記憶エリアが設けられていることを特徴とする。
【０００７】
本発明のＡＴＭは、ＩＣカードを用いて金融取り引き処理を行うＡＴＭ（現金自動支払機）であって、前記ＩＣカードを用いた金融取り引き処理を行った後に、次回の金融取り引き処理の際に使用する認証用情報としてのキーワードを生成する手段と、前記キーワードをジャーナルに表示する手段と、前記キーワードを前記ＩＣカードの記憶手段に書き込む手段とを有していることを特徴とする。
【０００８】
また、本発明の本人認証システムは、ＡＴＭ（現金自動支払機）と、前記ＡＴＭにより金融取り引き処理を行う際に使用するＩＣカードとからなる本人認証システムであって、前記ＩＣカードは、次回のＡＴＭを利用した金融取り引き処理で使用するための認証用情報としてのキーワードを記憶させるためのキーワード情報記憶エリアが設けられた記憶手段を有し、前記ＡＴＭは、前記ＩＣカードを用いた金融取り引き処理が行われた後に、次回の金融取り引き処理の際に使用する認証用情報としてのキーワードを生成する手段と、前記キーワードをジャーナルに表示する手段と、前記キーワードを前記ＩＣカードの記憶手段に書き込む手段と、利用者がキーワードを入力する入力手段と、前記ＩＣカードに記憶されたキーワードを読み取る手段と、前記入力手段から入力されたキーワード情報と、前記ＩＣカードから読み取ったキーワード情報とを照合する照合手段と、前記照合手段による照合の結果が一致した場合に前記利用者を本人として認証する手段とを有することを特徴とする。
【０００９】
更に、本発明の本人認証システムは、ＡＴＭ（現金自動支払機）と、前記ＡＴＭにより金融取り引き処理を行う際に使用するＩＣカードとからなる本人認証システムであって、  前記ＩＣカードは、次回のＡＴＭを利用した金融取り引き処理で使用するための認証用情報としてのキーワードを記憶させるためのキーワード情報記憶エリアが設けられた記憶手段と、前記ＡＴＭから前記キーワード情報記憶エリアに書き込まれたキーワード情報と、前記ＡＴＭから受信したキーワード情報とを照合する照合手段と、前記照合手段の結果が一致した場合に前記利用者を本人として認証する手段とを有し、前記ＡＴＭは、前記ＩＣカードを用いた金融取り引き処理が行われた後に、次回の金融取り引き処理の際に使用する認証用情報としてのキーワードを生成する手段と、前記キーワードをジャーナルに表示する手段と、前記キーワードを前記ＩＣカードの記憶手段に書き込む手段と、利用者がキーワードを入力する入力手段と、前記入力手段から入力されたキーワードを前記ＩＣカードに送信する手段とを有することを特徴とする。
【発明の効果】
【００１０】
本発明のＩＣカードは、記憶手段に、次回のＡＴＭを利用した金融取り引き処理で使用するための認証用情報としてのキーワードを記憶させるためのキーワード情報記憶エリアが設けられているので、ＩＣカードを用いた金融取り引き処理を行った後に、次回の金融取り引き処理の際に使用する認証用情報としてのキーワードをＩＣカードの記憶手段に書き込むことができるので、他人にＩＣカードが盗まれたり、また偽造カードが作製されても、認証用情報が他人に知られることがないので、不正な預金の引き出しを防止することができるという効果がある。
【００１１】
また、本発明のＡＴＭは、ＩＣカードを用いた金融取り引き処理を行った後に、次回の金融取り引き処理の際に使用する認証用情報としてのキーワードをＩＣカードの記憶手段に書き込むことができるので、他人にＩＣカードが盗まれたり、また偽造カードが作製されても、認証用情報が他人に知られることがないので、不正な預金の引き出しを防止することができるという効果がある。
【００１２】
また、本発明の本人認証システムは、ＩＣカードを用いた金融取り引き処理を行った後に、次回の金融取り引き処理の際に使用する認証用情報としてのキーワードをＩＣカードの記憶手段に書き込むことができ、次回の金融取り引き処理の際に、入力されたキーワード情報と、ＩＣカードから読み取ったキーワード情報とを照合する照合することで、利用者本人の認証を行うことができるので、他人のＩＣカードが盗まれたり、また他人のＩＣカードの偽造カードが作製されたりした場合でも、それらのカードを使用してＡＴＭから預金の引き出しをすることができないので、ＡＴＭからの不正な預金の引き出しを防止することができるという効果がある。
【００１３】
更に、本発明の本人認証システムは、ＩＣカードを用いた金融取り引き処理を行った後に、次回の金融取り引き処理の際に使用する認証用情報としてのキーワードをＩＣカードの記憶手段に書き込むことができ、次回の金融取り引き処理の際に、入力されたキーワード情報をＩＣカードに送信して照合することで、利用者本人の認証を行うことができるので、他人のＩＣカードが盗まれたり、また他人のＩＣカードの偽造カードが作製されたりした場合でも、それらのカードを使用してＡＴＭから預金の引き出しをすることができないので、ＡＴＭからの不正な預金の引き出しを防止することができるという効果がある。
【発明を実施するための最良の形態】
【００１４】
以下、本発明の実施形態に係るＩＣカード、ＡＴＭおよび本人認証システムについて、図面に基づいて詳細に説明する。
図１は、本発明の実施形態に係るＩＣカードの平面図、図２は、本発明の実施形態に係るＩＣカードのシステムブロック図、図３は、本発明の実施形態に係る本人認証システムの概要を説明するための図、図４は、ＡＴＭから発行されるジャーナルの表示内容を示す図、図５は、本発明の実施形態に係る本人認証システムのシステムブロック図、図６は、、本発明の実施形態に係る本人認証システムの処理手順を説明するフローチャート、図７は、本発明の他の実施形態に係る本人認証システムの処理手順を説明するフローチャートである。
【００１５】
本発明の実施形態に係るＩＣカード１は、ＩＣチップが内蔵されたＩＣモジュール２がカード基材に埋設されている。
そして、図２に示すように、ＩＣモジュール２に内臓されたＩＣチップには、ＣＰＵ３、書き換え可能な不揮発性メモリ（ＥＥＰＲＯＭ）４、揮発性メモリ（ＲＡＭ）５、読み出し専用メモリ（ＲＯＭ）６が備えられている。
また、更にＩＣモジュール２には、電源電圧を供給するＶＣＣ端子７、接地用のＧＮＤ端子８、リセット信号を供給するＲＳＴ端子９、クロック信号を供給するＣＬＫ端子１０、データ入出力用のＩ／Ｏ端子１１が備えられている。
【００１６】
そして、ＩＣモジュール２のＩＣチップにおいて、ＥＥＰＲＯＭ４には、カード番号記憶エリア４ａと、次回におけるＡＴＭを利用した金融取り引き処理の際に、使用するための認証用情報としてのキーワード情報１２を記憶させるためのキーワード情報記憶エリア４ｂが設けられている。
このカード番号記憶エリア４ａには、利用者がＡＴＭでＩＣカード１を用いて金融取り引き処理を行う際に使用するカード番号が予め記憶されている。
また、キーワード情報記憶エリア４ｂは、利用者がＡＴＭでＩＣカード１を用いて金融取り引き処理を行う際に認証用情報としてのキーワードを記憶させるための記憶エリアであって、このキーワード情報記憶エリア４ｂには、利用者がＡＴＭでＩＣカード１を用いて金融取り引き処理を行うごとに、新たなキーワード情報が繰り返し書き込まれて記憶される。
【００１７】
図３または図５に示すように、ＡＴＭ１５は、ネットワーク１６を介してサーバ１７と通信可能に接続されている。
ＡＴＭ１５には、表示手段２０、キーワード出力手段２１、ジャーナル印字手段２２、カード情報読取書込手段２３、現金処理手段２４、記憶手段２５、入力手段２６、キーワード照合手段２７、キーワード書込制御手段２８、キーワード生成手段２９、通信手段３０、暗証番号処理手段３１、制御手段３２などが備えられている。
【００１８】
キーワード生成手段２９は、ＡＴＭ１５によるＩＣカードを用いた金融取り引き処理が行われた後に、次回の金融取り引き処理の際に使用する認証用情報としての新たなキーワードを生成する機能を有する。
また、キーワード出力手段２１及びジャーナル印字手段２２は、新たなキーワードが生成された場合に、このキーワードを利用者に知らせるために、「キャッシュサービスご利用明細」であるジャーナル４０に、このキーワード４１を表示させて出力する機能を有している。
このジャーナル４０は、キーワード４１のほかに取引日時、取引種別、取引金額、残高などが印字され、利用者に金融取り引き処理に関する情報を通知する媒体である。
【００１９】
キーワード書込制御手段２８は、新たなキーワードをカード情報読取書込手段２３によりＩＣカード１のキーワード情報記憶エリア４ｂに書き込ませる機能有している。
キーワード照合手段２７は、入力手段から入力されたキーワード情報と、ＩＣカード１から読み取られたキーワード情報とを照合する機能を有している。
そして、制御手段３２は、暗証番号に基づく照合による認証と、キーワード情報に基づく照合による認証との両方が、認証成立することを条件として、ＩＣカード１によりＡＴＭ１５で金融取引きを行えるように制御する。
また、暗証番号処理手段３１は、ＩＣカード１から読み取ったカード番号をサーバ１７に送信して、サーバ１７による暗証番号の認証処理の結果を受信して、認証結果に応じた処理を行う機能を有している。
【００２０】
また、サーバ１７には、暗証番号照合手段３３、記憶手段３４、通信手段３５、本人認証手段３６、金融取引処理手段３７、制御手段３８、預金者情報データベース３９などが備えられている。
預金者情報データベース３９には、ＡＴＭ１５の利用者である預金者の個人情報、暗証番号情報、預金情報などが登録されている。
暗証番号照合手段３３は、ＡＴＭ１５から受信したカード番号に基づいて、預金者情報データベース３９に登録されている暗証番号と、利用者が入力して暗証番号とを照合する機能を有し、本人認証手段３６は、暗証番号照合手段３３による照合結果が一致した場合に本人認証されたことの承認を行う機能を有している。
【００２１】
次に、図６に基づいて、本発明の実施形態に係る本人認証システムの処理手順を説明する。
この本人認証システムの処理手順の説明においては、ＩＣカード１のキーワード情報記憶エリア４ｂに前回のＡＴＭでの金融取引きの際に、既にキーワード情報が書き込まれている状態である場合について説明する。
まず、利用者は、ＡＴＭ１５のカード挿入口からＩＣカード１を挿入させることで、ＡＴＭ１５によりＩＣカード１に記憶されているカード番号とキーワード情報とを読み取らせる。（ステップＳ１）
次に、表示手段２０に利用者に対して、暗証番号を入力することを指示する表示が行われ、利用者は、ＡＴＭ１５の入力手段２６から暗証番号の入力を行う。（ステップＳ２）
そして、ＡＴＭ１５からサーバ１７に対して、カード番号と暗証番号情報とが送信される。（ステップＳ３）
【００２２】
次に、サーバ１７において、預金者情報データベース３９に登録されている暗証番号と、ＡＴＭ１５から受信した暗証番号との照合処理が行われる。（ステップＳ４）
この照合処理において、照合一致した場合には、本人認証が承認され、サーバ１７からＡＴＭ１５に対して、本人認証が承認されたことを示す承認情報が送信される。（ステップＳ５）
次に、表示手段２０に利用者に対して、キーワードを入力することを指示する操作指示情報の表示が行われ、利用者は、ＡＴＭ１５の入力手段２６からキーワードの入力を行う。（ステップＳ６）
このキーワードは、利用者が前回のＡＴＭ１５での処理処理の際にＡＴＭ１５から出力されたジャーナルに表示されているキーワードを入力する。
【００２３】
そして、ＡＴＭ１５内において、利用者が入力したキーワード情報と、既にＩＣカード１から読み取られているキーワード情報との照合処理を行う。（ステップＳ７）
この照合処理で一致した場合には、ＡＴＭ１５による金融取引きを行える状態に制御されて、表示手段２０に、金融取引きを行うために必要な操作指示情報が表示される。（ステップＳ８）
以上の処理手順により、暗証番号とキーワード情報とに基づく２重の照合処理で、それぞれ照合一致した場合にだけ、ＡＴＭ１５による金融取引きが可能となるように制御される。
【００２４】
更に、金融取引きが終了される際に、ＡＴＭ１５のキーワード生成手段２９により次回の金融取引きで使用するキーワードが新たに生成される。（ステップＳ９）
そして、新たに生成されたキーワードは、ＩＣカード１のキーワード情報記憶エリア４ｂに書き込まれる。（ステップＳ１０）
また、更に、ＡＴＭ１５から利用者に発行されるジャーナルに、取引金額や残高などの情報と共に、キーワード生成手段２９により生成されたキーワードの印字が行われて、利用者にそのジャーナルが発行される。（ステップＳ１１）
また、この照合処理で不一致となった場合には、ＡＴＭ１５による金融取引きを行えない状態となるように制御すると共に、表示手段２０に、金融取引きを中止することを示す表示される。（ステップＳ１２）
このジャーナルに表示されたキーワードは、次回のＡＴＭ１５を利用した金融取引きの際に認証用情報として使用されるので、利用者はそのジャーナルを大切に保管したり、また、そのジャーナルに表示されたキーワードを記憶しておくようにしてもよい。
また、上記の実施形態では、従来の暗証番号に基づく認証処理を含めたが、本発明においては、必ずしも暗証番号に基づく認証処理は必要ではなく、キーワード情報とに基づく照合処理だけで認証処理を行うようにしてもよい。
【００２５】
上記の本発明の実施形態に係る本人認証システムにおいては、ＡＴＭ１５の入力手段２６から入力したキーワードと、ＩＣカード１に記憶されているキーワード情報との照合処理をＡＴＭ１５内に設けたキーワード照合手段で行っているが、他の実施形態として、このキーワード情報の照合処理をＩＣカード１内において行うようにしてもよい。
【００２６】
キーワード情報の照合処理をＩＣカード１内において行う場合には、次の実施形態において行われる。
この場合には、ＩＣカード内に、ＩＣカードのキーワード情報記憶エリアに書き込まれたキーワード情報と、ＩＣカードがＡＴＭから受信したキーワード情報とを照合するキーワードの照合手段と、この照合手段の結果が一致した場合に利用者を本人として認証する手段とを有し、承認したことを示す情報がＩＣカードからＡＴＭに送信されることで、ＡＴＭ１５による金融取引きを行えるように構成される。
【００２７】
キーワード情報の照合処理をＩＣカード１内において行う場合の処理手順を、図７のフローチャート図に基づいて説明する。
まず、利用者は、ＡＴＭ１５のカード挿入口からＩＣカード１を挿入させることで、ＡＴＭ１５によりＩＣカード１に記憶されているカード番号を読み取らせる。（ステップＳ２１）
次に、表示手段２０に利用者に対して、暗証番号を入力することを指示する表示が行われ、利用者は、ＡＴＭ１５の入力手段２６から暗証番号の入力を行う。（ステップＳ２２）
そして、ＡＴＭ１５からサーバ１７に対して、カード番号と暗証番号情報とが送信される。（ステップＳ２３）
【００２８】
次に、サーバ１７において、預金者情報データベース３９に登録されている暗証番号と、ＡＴＭ１５から受信した暗証番号との照合処理が行われる。（ステップＳ２４）
この照合処理において、照合一致した場合には、本人認証が承認され、サーバ１７からＡＴＭ１５に対して、本人認証が承認されたことを示す承認情報が送信される。（ステップＳ２５）
次に、表示手段２０に利用者に対して、キーワードを入力することを指示する操作指示情報の表示が行われ、利用者は、ＡＴＭ１５の入力手段２６からキーワードの入力を行う。（ステップＳ２６）
このキーワードは、利用者が前回のＡＴＭ１５での処理処理の際にＡＴＭ１５から出力されたジャーナルに表示されているキーワードを入力する。
【００２９】
そして、利用者が入力したキーワード情報をＡＴＭ１５からＩＣカード１に送信する。（ステップＳ２７）
次に、ＩＣカード１のキーワード情報記憶エリアに書き込まれているキーワード情報と、ＩＣカード１がＡＴＭ１５から受信したキーワード情報との照合処理を行う。（ステップＳ２８）
この照合処理で一致した場合には、ＩＣカード１からＡＴＭ１５に承認されたことを示す承認情報が送信される。（ステップＳ２９）
ＡＴＭ１５は、この認証情報を受信することで金融取引きを行える状態に制御されて、表示手段２０に、金融取引きを行うために必要な操作指示情報が表示される。（ステップＳ３０）
以上の処理手順により、暗証番号とキーワード情報とに基づく２重の照合処理で、それぞれ照合一致した場合にだけ、ＡＴＭ１５による金融取引きが可能となるように制御される。
【００３０】
更に、金融取引きが終了される際に、ＡＴＭ１５のキーワード生成手段２９により次回の金融取引きで使用するキーワードが新たに生成される。（ステップＳ３１）
そして、新たに生成されたキーワードは、ＩＣカード１のキーワード情報記憶エリア４ｂに書き込まれる。（ステップＳ３２）
また、更に、ＡＴＭ１５から利用者に発行されるジャーナルに、取引金額や残高などの情報と共に、キーワード生成手段２９により生成されたキーワードの印字が行われて、利用者にそのジャーナルが発行される。（ステップＳ３３）
また、この照合処理で不一致となった場合には、ＡＴＭ１５による金融取引きを行えない状態となるように制御すると共に、表示手段２０に、金融取引きを中止することを示す表示される。（ステップＳ３４）
【００３１】
以上のように、本発明の実施形態に係る本人認証システムは、ＡＴＭ１５での金融取引き処理が行われるたびに新たに生成されるキーワード情報を、ＩＣカード１のキーワード情報記憶エリア４ｂに書き込み、次回のＡＴＭ１５での金融取引き処理の際に、そのキーワード情報を認証用情報として認証処理で用いるので、常に認証用情報であるキーワード情報が変化していくために、第三者による不正行為を防止できるようにしてある。
【図面の簡単な説明】
【００３２】
【図１】本発明の実施形態に係るＩＣカードの平面図である。
【図２】本発明の実施形態に係るＩＣカードのシステムブロック図である。
【図３】本発明の実施形態に係る本人認証システムの概要を説明するための図である。
【図４】ＡＴＭから発行されるジャーナルの表示内容を示す図である。
【図５】本発明の実施形態に係る本人認証システムのシステムブロック図である。
【図６】本発明の実施形態に係る本人認証システムの処理手順を説明するフローチャートである。
【図７】本発明の他の実施形態に係る本人認証システムの処理手順を説明するフローチャートである。
【符号の説明】
【００３３】
１  ＩＣカード
２  ＩＣモジュール
３  ＣＰＵ
４  書き換え可能な不揮発性メモリ（ＥＥＰＲＯＭ）
４ａ  カード番号記憶エリア
４ｂ  キーワード情報記憶エリア
５  揮発性メモリ（ＲＡＭ）
６  読み出し専用メモリ（ＲＯＭ）
７  ＶＣＣ端子
８  接地用のＧＮＤ端子
９  ＲＳＴ端子
１０  ＣＬＫ端子
１１  Ｉ／Ｏ端子
１５  ＡＴＭ
１６  ネットワーク
１７  サーバ
２０  表示手段
２１  キーワード出力手段
２２  ジャーナル印字手段
２３  カード情報読取書込手段
２４  現金処理手段
２５，３４  記憶手段
２６  入力手段
２７  キーワード照合手段
２８  キーワード書込制御手段
２９  キーワード生成手段
３０，３５  通信手段
３１  暗証番号処理手段
３２，３８  制御手段
３３  暗証番号照合手段
３６  本人認証手段
３７  金融取引処理手段
３９  預金者情報データベース
４０  ジャーナル
４１  キーワード
【図１】
2007080007.tif 000003
【図２】
2007080007.tif 000004
【図３】
2007080007.tif 000005
【図４】
2007080007.tif 000006
【図５】
2007080007.tif 000007
【図６】
2007080007.tif 000008
【図７】
2007080007.tif 000009